(57)【要約】【課題】断線検出用の回路コストを抑制しつつ、調光制御を容易にすることができる車両用灯具を提供する。【解決手段】車両用灯具は、光源２１〜２４と、光源２１〜２４と並列に接続された擬似負荷３１〜３４と、直流電源６に接続され、第１電流Ｉ１を供給する定電流電源５と、第２電流Ｉ２の大きさを第１電流Ｉ１の大きさと同一にするカレントミラー回路７と、光源２１〜２４の点灯周期に応じて、擬似負荷３１〜３４のオン時間を制御するＰＷＭ制御回路８と、第２電流Ｉ２の大きさに基づき、直流電源６と光源２１〜２４との間の電流経路が断線しているか否かを判定する断線判定回路９とを備える。断線判定回路９は、第２電流Ｉ２が、光源２１〜２４のそれぞれの点灯状態のときのものと比べて低下した場合、電流経路が断線していると判定する。【選択図】図１
2020098672.tif 000002
【特許請求の範囲】
【請求項１】
直流電源に接続される車両用灯具であって、
光源と、
前記光源と並列に接続された擬似負荷と、
前記直流電源に接続され、第１電流を供給する定電流電源と、
前記光源及び前記定電流電源を並列に接続したものであって、且つ前記直流電源が前記光源及び前記擬似負荷の何れか一方に供給する第２電流の大きさを前記第１電流の大きさと同一にするカレントミラー回路と、
前記光源の点灯周期に応じて、前記擬似負荷のオン時間を制御するＰＷＭ制御回路と、
前記第２電流の大きさに基づき、前記直流電源と前記光源との間の電流経路が断線しているか否かを判定する断線判定回路と、
を備え、
前記光源は、
複数並列に設けられたものであり、
前記断線判定回路は、
前記第２電流が、前記光源のそれぞれの点灯状態のときのものと比べて低下した場合、前記電流経路が断線していると判定する、
車両用灯具。
【請求項２】
前記擬似負荷は、
擬似用スイッチング素子と、
前記擬似用スイッチング素子と直列に接続された擬似用抵抗と、
を備え、
前記ＰＷＭ制御回路は、
点灯機能ごとに異なる制御信号に応じて、前記擬似用スイッチング素子のオンデューティを制御する、
請求項１に記載の車両用灯具。
【請求項３】
前記電流経路に設けられ、前記第２電流が流れる断線検出抵抗、
をさらに備え、
前記断線判定回路は、
前記ＰＷＭ制御回路により前記光源が点灯するときに前記断線検出抵抗を流れる前記第２電流の電流値に基づき、前記電流経路が断線しているか否かを判定する、
請求項１又は２に記載の車両用灯具。
【請求項４】
前記カレントミラー回路は、
コレクタが前記定電流電源に接続され、エミッタがシャーシグランドに接続された第１スイッチング素子と、
コレクタが前記擬似負荷に接続され、エミッタがシャーシグランドに接続された第２スイッチング素子と、
を備え、
前記第１スイッチング素子のコレクタとベースとが接続され、且つ前記第１スイッチング素子及び前記第２スイッチング素子のそれぞれのベース同士が接続されたものであり、
前記ＰＷＭ制御回路は、
前記光源に前記第２電流を供給する場合、前記第１スイッチング素子及び前記第２スイッチング素子をオン状態に制御する、
請求項１〜３の何れか一項に記載の車両用灯具。
【発明の詳細な説明】
【技術分野】
【０００１】
本発明は、車両用灯具に関する。
【背景技術】
【０００２】
車両用灯具のうち半導体型光源を光源とするものは、従来から提案されている（例えば、特許文献１，２参照）。特許文献１，２に記載のような従来の半導体型光源は、基板に実装された複数のＬＥＤチップが樹脂等の封止部材で覆われたものとして利用されている。
【先行技術文献】
【特許文献】
【０００３】
【特許文献１】特開２０１７−０６９１６１号公報
【特許文献２】特開２０１５−１４５２２４号公報
【発明の概要】
【発明が解決しようとする課題】
【０００４】
しかし、特許文献１に記載のような従来技術では、共通の駆動部により複数の並列に接続された光源を一括で調光制御する回路構成であるため、それぞれの光源を個別に調光制御することができない。また、特許文献２に記載のような従来技術では、複数直列に接続された光源のそれぞれと並列に設けられたスイッチを順次点灯制御しているが、このような回路をシーケンシャルターンにそのまま用いると各種不具合が発生する虞がある。具体的には、電源が投入されてから全ての光源が点灯するまでは光源を流れる電流が一定とならないため、車両側の断線検出制御にマスク処理が必要となる。よって、マスク処理用の布線論理回路を実装することにより回路コストが増大する。また、上記回路構成であれば、光源の灯数が増加するにつれ、より高い電圧が要求されるため、ＤＣＤＣ回路が必要となる。よって、高コストとなるだけでなく、ＤＣＤＣ回路特有のスイッチングによるノイズも生じる虞がある。また、光源と並列に接続されているスイッチのうち、一部のスイッチをオン又はオフ時に、光源に過電流が流れることから回路素子に負担が生じるため、過電流保護回路が別途必要になる。以上のことから、特許文献１，２に記載のような従来技術では、高コストであり、調光制御も難しい状況である。
【０００５】
本開示はこのような状況に鑑みてなされたものであり、断線検出用の回路コストを抑制しつつ、調光制御を容易にすることができるようにするものである。
【課題を解決するための手段】
【０００６】
本開示の一側面である車両用灯具は、直流電源に接続される車両用灯具であって、光源と、前記光源と並列に接続された擬似負荷と、前記直流電源に接続され、第１電流を供給する定電流電源と、前記光源及び前記定電流電源を並列に接続したものであって、且つ前記直流電源が前記光源及び前記擬似負荷の何れか一方に供給する第２電流の大きさを前記第１電流の大きさと同一にするカレントミラー回路と、前記光源の点灯周期に応じて、前記擬似負荷のオン時間を制御するＰＷＭ制御回路と、前記第２電流の大きさに基づき、前記直流電源と前記光源との間の電流経路が断線しているか否かを判定する断線判定回路と、を備え、前記光源は、複数並列に設けられたものであり、前記断線判定回路は、前記第２電流が、前記光源のそれぞれの点灯状態のときのものと比べて低下した場合、前記電流経路が断線していると判定する、ものである。
【０００７】
また、本開示の一側面である車両用灯具においては、前記擬似負荷は、擬似用スイッチング素子と、前記擬似用スイッチング素子と直列に接続された擬似用抵抗と、を備え、前記ＰＷＭ制御回路は、点灯機能ごとに異なる制御信号に応じて、前記擬似用スイッチング素子のオンデューティを制御する、ことが好ましい。
【０００８】
また、本開示の一側面である車両用灯具においては、前記電流経路に設けられ、前記第２電流が流れる断線検出抵抗、をさらに備え、前記断線判定回路は、前記ＰＷＭ制御回路により前記光源が点灯するときに前記断線検出抵抗を流れる前記第２電流の電流値に基づき、前記電流経路が断線しているか否かを判定する、ことが好ましい。
【０００９】
また、本開示の一側面である車両用灯具においては、前記カレントミラー回路は、コレクタが前記定電流電源に接続され、エミッタがシャーシグランドに接続された第１スイッチング素子と、コレクタが前記擬似負荷に接続され、エミッタがシャーシグランドに接続された第２スイッチング素子と、を備え、前記第１スイッチング素子のコレクタとベースとが接続され、且つ前記第１スイッチング素子及び前記第２スイッチング素子のそれぞれのベース同士が接続されたものであり、前記ＰＷＭ制御回路は、前記光源に前記第２電流を供給する場合、前記第１スイッチング素子及び前記第２スイッチング素子をオン状態に制御する、ことが好ましい。
【発明の効果】
【００１０】
本開示の一側面によれば、断線検出用の回路コストを抑制しつつ、調光制御を容易にすることができる。
【図面の簡単な説明】
【００１１】
【図１】本開示を適用した実施形態に係る車両用灯具の回路構成図である。
【発明を実施するための形態】
【００１２】
以下、本開示を適用した車両用灯具の実施形態を図面に基づいて詳細に説明する。なお、この実施形態により本開示が限定されるものではない。
【００１３】
図１は、本開示を適用した実施形態に係る車両用灯具の回路構成図である。車両用灯具は、光源２１〜２４、擬似負荷３１〜３４、定電流電源５、カレントミラー回路７、ＰＷＭ制御回路８及び断線判定回路９等を備え、直流電源６と接続されることにより直流電源６から直流電力が供給されることで、光源２１〜２４が点灯可能なものである。なお、光源２１〜２４の何れか１つを特定しない場合、光源２と称する。また、擬似負荷３１〜３４の何れか１つを特定しない場合、擬似負荷３と称する。
【００１４】
ただし、光源２及び擬似負荷３は、光源２１及び光源２１と並列に接続された擬似負荷３１、光源２２及び光源２２と並列に接続された擬似負荷３２、光源２３及び光源２３と並列に接続された擬似負荷３３並びに光源２４及び光源２４と並列に接続された擬似負荷３４の何れか１つの組み合わせを意味するものとする。車両用灯具は、例えば、リアコンビネーションランプ等の機能を有するものである。なお、図１からも明らかなように、光源２１〜２４は、複数並列に設けられたものである。
【００１５】
定電流電源５は、直流電源６から直流電力が供給され、特性調整用スイッチング素子Ｑ１のベースに第１電流Ｉ１を供給する。なお、断線判定回路９の詳細については後述する。
【００１６】
光源２１〜２４のそれぞれは、一方が直流電源６のプラス端子に接続され、他方がカレントミラー回路７に接続されたものである。直流電源６は、光源２１〜２４及び擬似負荷３１〜３４の何れか一方に第２電流Ｉ２を供給するものであり、ダイオードＤ５が並列に設けられている。光源２１は、半導体発光素子Ｄ２１が複数直列に接続され、複数の半導体発光素子Ｄ２１のそれぞれにはコンデンサＣ２１が並列に接続されている。半導体発光素子Ｄ２１は、例えば、ＬＥＤ又はＯＥＬ（有機ＥＬ）を用いたＯＬＥＤ（有機発光ダイオード）等の自発光半導体光源である。光源２２〜２４は、光源２１と同様の回路構成である。つまり、光源２２は、半導体発光素子Ｄ２２と、半導体発光素子Ｄ２２と並列に接続されたコンデンサＣ２２とを備えている。また、光源２３は、半導体発光素子Ｄ２３と、半導体発光素子Ｄ２３と並列に接続されたコンデンサＣ２３とを備えている。また、光源２４は、半導体発光素子Ｄ２４と、半導体発光素子Ｄ２４と並列に接続されたコンデンサＣ２４とを備えている。
【００１７】
直流電源６は、二次電池又はＤＣＤＣコンバータ等のような直流電流を供給可能な回路構成であり、車両用灯具の外側に設けられている。また、直流電源６は、車両用灯具に電力を供給するか否かを制御可能なスイッチＳ１が設けられている。スイッチＳ１がオン状態となれば、直流電源６は、車両用灯具に対してオン状態となり、光源２１〜２４のそれぞれに第２電流Ｉ２を供給することができる。なお、スイッチＳ１は、例えば、ソリッドステートリレーのような無接点の電子リレーから構成され、ＰＷＭ制御回路８により制御されるものである。
【００１８】
擬似負荷３１〜３４のそれぞれは、光源２１〜２４のそれぞれと並列に接続されたものである。擬似負荷３１は、擬似用スイッチング素子Ｑ３１と、擬似用スイッチング素子Ｑ３１と直列に接続された擬似用抵抗Ｒ３１と、擬似用コンデンサＣ３１とを備え、光源２１から第２電流Ｉ２を迂回させるものである。擬似用スイッチング素子Ｑ３１は、例えば、ＰチャネルのＭＯＳＦＥＴから構成され、ソースが直流電源６のプラス端子に接続され、ドレインが擬似用抵抗Ｒ３１に接続され、ゲートとドレインとの間には擬似用コンデンサＣ３１が接続されている。擬似用スイッチング素子Ｑ３１は、ＰＷＭ制御回路８により制御される。ＰＷＭ制御回路８により擬似用スイッチング素子Ｑ３１がオン状態に制御された場合、第２電流Ｉ２は擬似負荷３１を経由するので光源２は消灯する。ＰＷＭ制御回路８により擬似用スイッチング素子Ｑ３１がオフ状態に制御された場合、第２電流Ｉ２は擬似負荷３１を経由しないので光源２は点灯する。
【００１９】
擬似負荷３２〜３４は、擬似負荷３１と同様の回路構成である。つまり、擬似負荷３２は、擬似用スイッチング素子Ｑ３２と、擬似用抵抗Ｒ３２と、擬似用コンデンサＣ３２とを備え、擬似用スイッチング素子Ｑ３２がＰＷＭ制御回路８により制御される。また、擬似負荷３３は、擬似用スイッチング素子Ｑ３３と、擬似用抵抗Ｒ３３と、擬似用コンデンサＣ３３とを備え、擬似用スイッチング素子Ｑ３３がＰＷＭ制御回路８により制御される。また、擬似負荷３４は、擬似用スイッチング素子Ｑ３４と、擬似用抵抗Ｒ３４と、擬似用コンデンサＣ３４とを備え、擬似用スイッチング素子Ｑ３４がＰＷＭ制御回路８により制御される。
【００２０】
なお、擬似用抵抗Ｒ３１〜Ｒ３４の何れか１つを特定しない場合、擬似用抵抗Ｒ３と称する。また、擬似用コンデンサＣ３１〜Ｃ３４の何れか１つを特定しない場合、擬似用コンデンサＣ３と称する。また、擬似用スイッチング素子Ｑ３１〜Ｑ３４の何れか１つを特定しない場合、擬似用スイッチング素子Ｑ３と称する。また、コンデンサＣ２１〜Ｃ２４の何れか１つを特定しない場合、コンデンサＣ２と称する。また、半導体発光素子Ｄ２１〜Ｄ２４の何れか１つを特定しない場合、半導体発光素子Ｄ２と称する。
【００２１】
ただし、擬似用抵抗Ｒ３、擬似用コンデンサＣ３及び擬似用スイッチング素子Ｑ３は、擬似用抵抗Ｒ３１、擬似用コンデンサＣ３１及び擬似用スイッチング素子Ｑ３１、擬似用抵抗Ｒ３２、擬似用コンデンサＣ３２及び擬似用スイッチング素子Ｑ３２、擬似用抵抗Ｒ３３、擬似用コンデンサＣ３３及び擬似用スイッチング素子Ｑ３３並びに擬似用抵抗Ｒ３４、擬似用コンデンサＣ３４及び擬似用スイッチング素子Ｑ３４の何れか１つの組み合わせを意味するものである。同様に、コンデンサＣ２及び半導体発光素子Ｄ２は、コンデンサＣ２１及び半導体発光素子Ｄ２１、コンデンサＣ２２及び半導体発光素子Ｄ２２、コンデンサＣ２３及び半導体発光素子Ｄ２３並びにコンデンサＣ２４及び半導体発光素子Ｄ２４の何れか１つの組み合わせを意味するものである。
【００２２】
カレントミラー回路７は、光源２及び定電流電源５を並列に接続したものであって、且つ直流電源６が光源２及び擬似負荷３の何れか一方に供給する第２電流Ｉ２の大きさを第１電流Ｉ１の大きさと同一にするものである。具体的には、カレントミラー回路７は、第１スイッチング素子Ｑ２及び第２スイッチング素子Ｑ５１〜Ｑ５４を備えている。なお、第２スイッチング素子Ｑ５１〜Ｑ５４の何れか１つを特定しない場合、第２スイッチング素子Ｑ５と称する。第１スイッチング素子Ｑ２は、ＮＰＮトランジスタから構成され、コレクタが定電流電源５に接続され、エミッタがシャーシグランドＧＮＤに接続されている。第２スイッチング素子Ｑ５は、ＮＰＮトランジスタから構成され、コレクタが擬似負荷３に接続され、エミッタがシャーシグランドＧＮＤに接続されている。
【００２３】
カレントミラー回路７は、第１スイッチング素子Ｑ２のコレクタとベースとが接続されるものであるが、図１に示すように、第１スイッチング素子Ｑ２のコレクタとベースとの間に、ＮＰＮトランジスタから構成される特性調整用スイッチング素子Ｑ１を設けることにより特性調整用スイッチング素子Ｑ１の利得により第１スイッチング素子Ｑ２と第２スイッチング素子Ｑ５との特性上の差異を埋め合わせることができる。具体的には、特性調整用スイッチング素子Ｑ１は、ベースが定電流電源５及び第１スイッチング素子Ｑ２のコレクタに接続され、コレクタが抵抗Ｒ２に接続され、エミッタが第１スイッチング素子Ｑ２、断線検出用スイッチング素子Ｑ４及び第２スイッチング素子Ｑ５のベースに接続されている。なお、抵抗Ｒ２は、一方が特性調整用スイッチング素子Ｑ１のコレクタに接続され、他方が直流電源６のプラス端子に接続されている。また、カレントミラー回路７は、第１スイッチング素子Ｑ２、断線検出用スイッチング素子Ｑ４及び第２スイッチング素子Ｑ５のそれぞれのベース同士が接続されたものであり、少なくとも、第１スイッチング素子Ｑ２、断線検出用スイッチング素子Ｑ４及び第２スイッチング素子Ｑ５のそれぞれの温度特性は同一範囲にあるものが好ましい。
【００２４】
断線検出用スイッチング素子Ｑ４は、コレクタが副断線検出抵抗ＲＡに接続され、エミッタがシャーシグランドＧＮＤに接続されている。副断線検出抵抗ＲＡは、一方が断線検出用スイッチング素子Ｑ４に接続され、他方が直流電源６のプラス端子及び断線検出抵抗ＲＢに接続され、例えば、シャント抵抗器から構成され、両端の電位差を検出し、検出結果を断線判定回路９に供給する。断線検出抵抗ＲＢは、直流電源６と光源２との間の電流経路に設けられ、第２電流Ｉ２が流れるものである。具体的には、断線検出抵抗ＲＢは、一方が光源２１に接続され、他方が副断線検出抵抗ＲＡ及び直流電源６のプラス端子に接続され、例えば、シャント抵抗器から構成され、両端の電位差を検出し、検出結果を断線判定回路９に供給する。副断線検出抵抗ＲＡを流れる第２電流Ｉ２の電流値は、断線判定回路９により副断線検出抵抗ＲＡの両端の電位差から求められる。断線検出抵抗ＲＢを流れる第２電流Ｉ２の電流値は、断線判定回路９により断線検出抵抗ＲＢの両端の電位差から求められる。
【００２５】
なお、第２スイッチング素子Ｑ５１〜Ｑ５４のそれぞれは、ベース同士が接続され、エミッタが共にシャーシグランドＧＮＤに接続されている。このような回路構成により、カレントミラー回路７は、第１スイッチング素子Ｑ２及び第２スイッチング素子Ｑ５がオン状態になれば、第２電流Ｉ２の大きさを第１電流Ｉ１の大きさと同一にする。なお、図１においては、光源２１〜２４のそれぞれが複数並列に設けられている。
【００２６】
ＰＷＭ制御回路８は、一方が直流電源６のプラス端子に接続され、他方がシャーシグランドＧＮＤに接続され、制御信号に基づき、光源２の点灯状態を制御するものである。ＰＷＭ制御回路８の制御信号の入力側の一部にはダイオードＤ６が設けられている。制御信号は矩形波等の各種信号により実現されるものであって、点灯機能ごとに異なるものであり、擬似用スイッチング素子Ｑ３のオンデューティを設定するものである。具体的には、ＰＷＭ制御回路８は、光源２の点灯周期に応じて、擬似負荷３のオン時間を制御するものである。つまり、ＰＷＭ制御回路８が、光源２の点灯周期に応じて、擬似用スイッチング素子Ｑ３のオンデューティを制御する。よって、光源２の点滅制御又は調光制御が可能となる。したがって、光源２の明るさは、光源２に流す第２電流Ｉ２の大きさである電流値と、第２電流Ｉ２を流す時間との割合により決定される。ただし、擬似負荷３の印加電圧＜光源２の最大消灯電圧となるように、擬似負荷３の擬似用抵抗Ｒ３の定数を設定する。光源２の最大消灯電圧は、具体的には、光源２の順方向電圧の最大値である。また、擬似用スイッチング素子Ｑ３のオン／オフ速度及び擬似負荷３全体の電圧変動を抑制することでノイズ発生を低減可能である。
【００２７】
また、ＰＷＭ制御回路８は、光源２に第２電流Ｉ２を供給する場合、第１スイッチング素子Ｑ２及び第２スイッチング素子Ｑ５をオン状態に制御するものである。つまり、第１スイッチング素子Ｑ２及び第２スイッチング素子Ｑ５がオン状態であれば、直流電源６がオン状態となることで、光源２１〜２４のそれぞれに第２電流Ｉ２を第１電流Ｉ１と同じ大きさで流すことができる。
【００２８】
次に、断線判定回路９について説明する。断線判定回路９は、第２電流Ｉ２の大きさに基づき、直流電源６と光源２との間の電流経路が断線しているか否かを判定する。具体的には、断線判定回路９は、第２電流Ｉ２が、光源２のそれぞれの点灯状態のときのものと比べて低下した場合、上記で説明した電流経路が断線していると判定する。より具体的には、断線判定回路９は、ＰＷＭ制御回路８により光源２が点灯するときに断線検出抵抗ＲＢを流れる第２電流Ｉ２の電流値に基づき、電流経路が断線しているか否かを判定する。断線検出抵抗ＲＢを流れる第２電流Ｉ２は、上記で説明したように、断線検出抵抗ＲＢの両端の電位差の検出結果からオームの法則により求めたものである。例えば、光源２の１つの系統が断線すれば、断線検出抵抗ＲＢを流れる第２電流Ｉ２は、第２電流Ｉ２×４（Ａ）から第２電流Ｉ２×３（Ａ）になる。このように、光源２のそれぞれが点灯状態のときのものと比べて第２電流Ｉ２が低下した場合、電流経路が断線していると判定し、光源２の少なくとも１つが断線モードであるとＰＷＭ制御回路８に通知する。この場合、ＰＷＭ制御回路８は、光源２の少なくとも１つが断線モードであると判定し、擬似用スイッチング素子Ｑ３１〜Ｑ３４の全てをオン状態に制御することで、擬似負荷３１〜３４に第２電流Ｉ２を流し、光源２１〜２４をオフ状態に制御する。これにより、一部の光源２が断線した結果、規定の配光を満足しない状態となった際には、他の光源２を全て消灯させるという法規上の要求を満たすことができる。
【００２９】
なお、副断線検出抵抗ＲＡの両端の電位差の検出結果と、断線検出抵抗ＲＢの両端の電位差の検出結果との差分の変位に基づき、電流経路が断線しているか否かを判定してもよい。具体的には、一定の検知周期で、副断線検出抵抗ＲＡの両端の電位差の検出結果から求めた第２電流Ｉ２と、断線検出抵抗ＲＢの両端の電位差の検出結果から求めた第２電流Ｉ２との差異を検出し、その差異が広がった場合、電流経路が断線していると判定すればよい。
【００３０】
上記の説明から、光源２１〜２４のそれぞれは、ＰＷＭ制御により個別に調光を行うことができる。また、直流電源６がスイッチＳ１により投入されてから全ての光源２が点灯するまでは光源２を流れる第２電流Ｉ２が一定となるため、車両側の断線検出制御にマスク処理が不要となる。よって、マスク処理用の布線論理回路を実装しなくてよいため、回路コストの増大を回避することができる。また、上記回路構成であれば、光源２の灯数が増加するにつれ、より高い電圧が要求されることもないため、ＤＣＤＣ回路が不要となる。よって、高コストとならず、ＤＣＤＣ回路特有のスイッチングによるノイズも生じる虞がない。また、光源２と並列に接続されている擬似負荷３に第２電流Ｉ２を流すことで光源２をオフ状態に制御するため、第２電流Ｉ２の変動を抑制し、且つ光源２に過電流が流れることがないことで回路素子に負担がかからないため、過電流保護回路が不要となる。また、点灯機能ごとに異なる制御信号に応じて、擬似用スイッチング素子Ｑ３のオンデューティを制御することでＰＷＭ調光制御が可能であるため、リアコンビネーションランプの機能だけでなく、ヘッドランプの機能等も実現可能である。
【００３１】
以上の説明から、本実施形態において、光源２の点灯周期に応じて、光源２と並列に接続された擬似負荷３のオン時間が制御される。よって、光源２に過電流を流すことなく擬似負荷３のオン状態及びオフ状態を制御するだけで調光制御をすることができる。また、直流電源６により供給される第２電流Ｉ２が、光源２のそれぞれの点灯状態のときのものと比べて低下した場合、直流電源６と光源２との間の電流経路が断線していると判定される。よって、マスク処理用の布線論理回路を実装することなく断線を検出することができる。したがって、断線検出用の回路コストを抑制しつつ、調光制御を容易にすることができる。
【００３２】
また、本実施形態において、点灯機能ごとに異なる制御信号に応じて、擬似用スイッチング素子Ｑ３のオンデューティが制御される。よって、点灯機能に応じて、光源２の点滅制御又は調光制御を行うことができる。したがって、光源２のそれぞれをいろいろな用途に利用することができる。
【００３３】
また、本実施形態において、ＰＷＭ制御回路８により光源２が点灯するときに断線検出抵抗ＲＢを流れる第２電流Ｉ２の電流値に基づき、電流経路が断線しているか否かが判定される。よって、簡易な回路構成で電流経路が断線しているか否かが判定可能である。したがって、回路コストの増大を抑制することができる。
【００３４】
また、本実施形態において、直流電源６から光源２に第２電流Ｉ２を供給する場合、第１スイッチング素子Ｑ２及び第２スイッチング素子Ｑ５がオン状態に制御される。よって、カレントミラー回路７により第２電流Ｉ２の大きさが第１電流Ｉ１の大きさと同一に制御される。第１電流Ｉ１は定電流電源５から供給されるので一定の電流値が保持されたものである。また、光源２１〜２４のそれぞれはカレントミラー回路７に並列に接続されている。したがって、光源２１〜２４のそれぞれに流れる第２電流Ｉ２の大きさを一定の電流値に保持することができるので、回路全体において一定の電流の大きさを保証することができる。
【００３５】
以上、本開示を適用した車両用灯具を実施形態に基づいて説明したが、本開示はこれに限定されるものではなく、本開示の趣旨を逸脱しない範囲で、変更を加えてもよい。
【００３６】
また、カレントミラー回路７は１段構成とした一例について説明したが、特にこれに限定されるものではない。例えば、第１スイッチング素子Ｑ２及び第２スイッチング素子Ｑ５を多段構成にしてもよい。
【００３７】
また、カレントミラー回路７と並列に光源２が４つ接続されている回路構成の一例について説明したが、光源２は５つ以上がカレントミラー回路７に並列に接続されている回路構成であってもよい。
【符号の説明】
【００３８】
２，２１，２２，２３，２４  光源
３，３１，３２，３３，３４  擬似負荷
５  定電流電源
６  直流電源
７  カレントミラー回路
８  ＰＷＭ制御回路
９  断線判定回路
Ｉ１  第１電流
Ｉ２  第２電流
Ｄ２，Ｄ２１，Ｄ２２，Ｄ２３，Ｄ２４  半導体発光素子
Ｄ５，Ｄ６  ダイオード
Ｃ２，Ｃ２１，Ｃ２２，Ｃ２３，Ｃ２４  コンデンサ
Ｃ３，Ｃ３１，Ｃ３２，Ｃ３３，Ｃ３４  擬似用コンデンサ
Ｒ２  抵抗
Ｒ３，Ｒ３１，Ｒ３２，Ｒ３３，Ｒ３４  擬似用抵抗
ＲＡ  副断線検出抵抗
ＲＢ  断線検出抵抗
Ｑ１  特性調整用スイッチング素子
Ｑ２  第１スイッチング素子
Ｑ３，Ｑ３１，Ｑ３２，Ｑ３３，Ｑ３４  擬似用スイッチング素子
Ｑ４  断線検出用スイッチング素子
Ｑ５，Ｑ５１，Ｑ５２，Ｑ５３，Ｑ５４  第２スイッチング素子
ＧＮＤ  シャーシグランド
Ｓ１  スイッチ
【図１】
2020098672.tif 000003